(57)【要約】【課題】猫の尿道に先端から挿入されるカテーテルと、カテーテルの尾端に設けられ医療器具と接続自在な接続部と、カテーテルを挿通する孔部を備え猫の体表に固定される固定板とからなる猫用尿道カテーテル装置において、猫がしゃがんだときに作用する接続部への押圧力が固定板に伝達され猫に苦痛を与えることを防止する、使い勝手のよい猫用尿道カテーテル装置を提供する。【解決手段】接続部３と固定板４との間に位置する支点７を有し、接続部３を支点７を介して固定板４に遥動自在に連結する連結手段６，８が設ける。【選択図】図１
2007236574.tif 000002
【特許請求の範囲】
【請求項１】
猫の尿道に先端から挿入されるカテーテルと、カテーテルの尾端に設けられ医療器具と接続自在な接続部と、カテーテルを挿通する孔部を備え猫の体表に固定される固定板とからなる猫用尿道カテーテル装置において、
前記接続部と前記固定板との間に位置する支点を有し、接続部を支点を介して固定板に遥動自在に連結する連結手段が設けられていることを特徴とする猫用尿道カテーテル装置。
【請求項２】
前記接続部が遥動して体表に沿った状態となったときにこの状態に接続部を係止する係止手段を備えることを特徴とする請求項１記載の猫用尿道カテーテル装置。
【請求項３】
前記連結手段は、前記接続部又は前記固定板の一方に設けられた前記支点としての軸部と、他方に設けられ軸部に外嵌する嵌合部とで構成されることを特徴とする請求項１又は２に記載の猫用尿道カテーテル装置。
【請求項４】
前記連結手段は、前記接続部又は前記固定板の一方に設けられ前記カテーテルを挿通する中空のボール部と、他方に設けられボール部を受け入れるソケット部とで構成されるボールジョイントであることを特徴とする請求項１又は２に記載の猫用尿道カテーテル装置。
【請求項５】
前記ソケット部の口元に、前記ボール部の基端に形成される小径の頸部を弾力的に嵌め込み可能な係合溝が形成され、この係合溝で前記係止手段が構成されることを特徴とする請求項４記載の猫用尿道カテーテル装置。
【請求項６】
前記固定板の体表に接触する面には、体表から離れる方向に向かって凹む凹部が形成され、凹部に前記孔部が設けられていることを特徴とする請求項１〜５の何れか１項に記載の猫用尿道カテーテル装置。
【発明の詳細な説明】
【技術分野】
【０００１】
本発明は、猫の尿道に挿入されるカテーテルを備える猫用尿道カテーテル装置に関する。
【背景技術】
【０００２】
猫は乾燥に強い動物であり水分をあまり摂取せずに生きることができるが、その分、尿の濃度が高くなり、ミネラル成分が結晶化し易くなる。このため、猫は尿道が詰まり易く、尿道が詰まると、膀胱切開や、去勢、食事療法等の治療を行う必要がある。この治療を行う前に、取りあえず排尿できるようにする必要があるため、尿道にカテーテルを挿入して留置する応急処置がとられる（特許文献１参照）。
【０００３】
図３に示すように、従来の猫用尿道カテーテル装置１’は、尿道に先端から挿入されるカテーテル２’と、カテーテル２’の尾端に設けられ注射器等と接続自在な接続部３’と、固定板４’とを備える（非特許文献１参照）。固定板４’は孔部５’を有しており、この孔部５’にカテーテル２’を挿通して、接続部３’の先端部を孔部５’に嵌合させた後、カテーテル２’を猫の尿道に挿入し、固定板４’を猫の体表に縫い付けることによりカテーテル２’を固定する。
【０００４】
ここで、猫はしゃがんで排尿する習性があるため、しゃがんだ際に接続部３’が床、地面等に当接することにより、接続部３’が径方向に押圧されることが多い。接続部３’が径方向に押圧されると接続部３’は体表に縫い付けられた固定板４’と嵌合しているため固定板４’にも押圧力が伝達される。押圧力が固定板４’に伝達されると、固定板４’が当初の固定位置からずれようとするため皮膚が引っ張られ、猫に苦痛を与える虞がある。
【特許文献１】特開２００５−１８５４３９号公報（第２頁、第１図）
【非特許文献１】「医材総合カタログ［プロミクロス］２００６」，株式会社ミスミ，２００５年１０月，ｐ１６８
【発明の開示】
【発明が解決しようとする課題】
【０００５】
本発明は、以上の点に鑑み、猫がしゃがんだときに作用する接続部への押圧力が固定板に伝達され猫に苦痛を与えることを防止する、使い勝手のよい猫用尿道カテーテル装置を提供することを目的とする。
【課題を解決するための手段】
【０００６】
上記目的を達成するため、本発明は、猫の尿道に先端から挿入されるカテーテルと、カテーテルの尾端に設けられ医療器具と接続自在な接続部と、カテーテルを挿通する孔部を備え猫の体表に固定される固定板とからなる猫用尿道カテーテル装置において、前記接続部と前記固定板との間に位置する支点を有し、接続部を支点を介して固定板に遥動自在に連結する連結手段が設けられていることを特徴とする。
【０００７】
かかる構成によれば、猫がしゃがんで排尿する際に接続部が押圧された場合であっても、その押圧力を受け流すように接続部が固定板に対して遥動する。このため、接続部に加わった押圧力が猫の体表に縫付けられた固定板に伝達されて皮膚が引っ張られることを防止し、猫に苦痛を与えることを防止することができる。
【０００８】
又、接続部が遥動して体表に沿った状態となったときにこの状態に接続部を係止する係止手段を設ければ、接続部に医療器具を接続しないときには、接続部を体表に沿わせるように固定して、接続部の開口端部が床や地面等に接触しないようにし開口端部を清潔に保つことができ、有利である。再び接続部に医療器具を接続する場合には、係止手段による接続部の係止を解除すれば、容易に接続部に医療器具を接続させることができる。
【０００９】
ここで、連結手段は、接続部又は固定板の一方に設けられた支点としての軸部と、他方に設けられ軸部に外嵌する嵌合部とで構成されるものであってもよい。但し、この場合には、接続部の遥動方向が限られてしまう。
【００１０】
これに対し、連結手段が、接続部又は固定板の一方に設けられカテーテルを挿通する中空のボール部と、他方に設けられボール部を受け入れるソケット部とで構成されるボールジョイントであれば、遥動方向に規制がなく、有利である。
【００１１】
尚、連結手段を上述のごときボールジョイントとする場合には、ソケット部の口元に、ボール部の基端に形成される小径の頸部を弾力的に嵌め込み可能な係合溝を形成し、この係合溝で係止手段を構成すればよい。
【００１２】
又、猫が排尿する際にしゃがみこんで猫の体表と共に固定板が移動し、孔部と尿道の入口との位置がずれる場合がある。このとき、カテーテルが体表と固定板との間に挟まって押し潰され、排尿できなくなる虞がある。
【００１３】
これに対し、固定板の体表に接触する面に、体表から離れる方向に向かって凹む凹部を形成し、この凹部に孔部を設ければ、上述の如く孔部と尿道との位置がずれたとしても、体表と固定板と間に隙間ができることによりカテーテルが挟まれて押し潰されることを防止することができ、有利である。
【発明を実施するための最良の形態】
【００１４】
図１は、本発明の第１実施形態の猫用尿道カテーテル装置１を示している。この猫用尿道カテーテル装置１は、猫の尿道に先端から挿入されるポリ塩化ビニル製のカテーテル２と、カテーテル２の尾端に設けられ注射器等の医療器具（図示省略）と接続自在な筒状の接続部３と、猫の体表に固定される略長方形状の固定板４とからなる。固定板４には、カテーテル２を挿通自在な孔部５が形成されている。
【００１５】
固定板４の体表に接触する面４ａの中央部には凹部４１が形成されている。凹部４１の中央には上記孔部５が穿設されている。このような構成とすることにより、体表と固定板４との間に隙間が形成される。従って、猫がしゃがみこむことにより孔部５と尿道の入口との位置がすれたとしても、カテーテル２が体表と固定板４との間に挟まれて押し潰されることを防止することができる。
【００１６】
又、固定板４の面４ａと反対の面４ｂには、孔部５に対し固定板４の長手方向両側に位置する各１対の突起部６，６が突設されており、これら各１対の突起部６，６の先端間に軸部７が設けられている。又、固定板４の長手方向の両端部には縫付け孔４２が設けられている。
【００１７】
接続部３の先端には、カテーテル２を間隔を存して挟むように先方へのびる一対の突片８が設けられている。突片８の先端部には、図１（ｂ）に分解して示すように、厚さ方向に貫通する孔８ａが形成され、且つ孔８ａの直径よりも小さい幅のスリット８ｂが孔８ａから突片８の先端まで形成されている。そして、突片８の孔８ａに上記軸部７をスリット８ｂを通して嵌合させることにより、接続部３が固定板４に対し軸部７を支点にして固定板４の長手方向と直交する方向に揺動自在となる。第１実施形態においては、突片８が軸部７に外嵌する嵌合部となる。
【００１８】
又、スリット８ｂを通して軸部７を突片８から離脱させることができるため接続部３が固定板４に着脱自在となる。そのため、カテーテル２を取り替える際に、固定板４ごと取り替える必要がなく、再度固定板４を猫の体表に縫付ける手間を省くことができる。第１実施形態の連結手段は突起部６，６と軸部７と突片８と孔８ａとで構成される。
【００１９】
又、上記孔部５は、固定板４の長手方向に直交する方向、即ち、接続部３の揺動方向に長手の長孔に形成されている。孔部５の径をカテーテル２の外径と等しい径とすると、接続部３が遥動する際にカテーテル２は孔部５の尾端側周縁から湾曲することとなる。このため、固定板４の厚さによっては、接続部３が遥動する際に、カテーテル２が大きな曲率半径で湾曲せずキンク（折れ潰れ）を生ずる虞がある。
【００２０】
特に凹部４１を固定板４に形成していることにより、孔部５が体表から離れたところに位置することとなるため、カテーテル２の曲率半径が小さくなりキンクを生ずる可能性がより高くなる。連結手段としての突起部６，６や突片８を長くして固定板４と接続部３との間隔を大きくとることにより、この問題を解決することは可能であるが、連結手段は引掛り防止等の理由からできるだけ短い方が好ましい。
【００２１】
従って、上述の如く孔部５を長孔に構成すれば、接続部３が遥動する際にカテーテル２が孔部５内で接続部３の遥動方向に動くようになり、連結手段としての突起部６，６や突片８を長くすることなく、カテーテル２を大きな曲率半径で湾曲させることができる。
【００２２】
実施形態の猫用尿道カテーテル１を用いる際には、接続部３に注射器等を接続し、カテーテル２を猫の尿道に挿入しながら注射器等から薬液を注入し尿道を洗浄する。そして、カテーテル２を尿道へ完全に挿入した後、注射器等を接続部３から取り外し、固定板４の縫付け孔４２を利用して猫の体表に固定板４を縫付け固定する。
【００２３】
第１実施形態の猫用尿道カテーテル１によれば、猫が排尿するためにしゃがみこみ、これにより接続部３に押圧力が加わったとしても、この押圧力を逃がすように接続部３は固定板４に対して遥動する。これにより、接続部が押圧されて猫の体表に縫付けられた固定板が移動し皮膚が引っ張られることにより生じる痛みを抑えることができる。又、軸部７が接続部３と固定板４との間に位置するため、接続部３と固定板４との間に隙間ができ、図２に示すように、接続部３が遥動する際に大きな曲率半径でカテーテル２が湾曲する。これにより、カテーテル２のキンク（折れ潰れ）を防止することができる。
【００２４】
図３は本発明の第２実施形態の猫用尿道カテーテル装置１０を示したものである。この猫用尿道カーテル装置１０は、連結手段の構成を除いて第１実施形態のものと同一であり、同一の構成については第１実施形態と同一の符号を付している。
【００２５】
第２実施形態の連結手段は、接続部３の先端に中空の頸部８０を介して設けられた球状で中空のボール部８１と、固定板４の面４ｂに設けられたボール部８１を受け入れる円筒状のソケット部６０とで構成される。頸部８０はボール部８１よりも小径に形成されている。
【００２６】
中空のボール部８１の下端部は水平方向に切除され開口しており、この開口からカテーテル２が先方へのびている。ボール部８１の内面は、図４に示すように、開口に向かって次第に拡径するように形成されている。これにより接続部３が遥動した際にボール部８１の開口端８１ａがカテーテル２に接触してカテーテル２を小さい曲率半径で折り曲げることを防止し、キンクを防止している。ソケット部６０の内径は、ボール部８１の直径よりもやや小さい径となっている。又、ソケット部６０の内周面上部には、ボール部８１を抜止するため、ボール部８１の外面形状に沿うように拡径されたアンダーカット部６０ａが形成されている。第２実施形態においてはボール部８１を支点にして接続部３が任意の方向に遥動自在となる。
【００２７】
又、図３に示すように、ソケット部６０の口元には係合溝６０ｂが形成されている。図４に示すように、接続部３が係合溝６０ｂ側に遥動した際に頸部８０を係合溝６０ｂが受け入れ、接続部３が体表に沿う状態となる。係合溝６０ｂは、頸部８０の直径よりもやや小さい幅に形成されている。これにより、頸部８０が係合溝６０ｂに弾力的に係合し、接続部３を体表に沿った状態に係止することとなる。第２実施形態においては係合溝６０ｂが係止手段となる。このような係止手段は、第１実施形態にも設けることができる。この場合、例えば、接続部３に頸部８０を設け、固定板４に頸部８０に係合自在な係合溝を有する係合片を設ければよい。
【００２８】
又、孔部５は、ソケット部６０の底部に位置するように固定板４に穿設されている。又、孔部５は、ソケット部６０の中心と係合溝６０ｂとを結ぶ方向に長手の長孔に形成されている。これにより接続部３が体表に沿うように、即ち、頸部８０が係合溝６０ｂに係合するように遥動する際にカテーテル２が孔部５内で接続部３の遥動方向と反対方向に動き、ソケット部６０の軸方向長さを短くしても、ボール部８１と固定板４との間にカテーテル２が挟まれて押し潰されることを防止することができる。
【００２９】
第２実施形態の猫用尿道カテーテル装置１０によれば、第１実施形態の効果に加えて、さらに接続部３の遥動方向に規制がなくなり、あらゆる方向に接続部３を遥動させることができる。
【図面の簡単な説明】
【００３０】
【図１】本発明の第１実施形態の猫用尿道カテーテルを示す説明図。
【図２】第１実施形態の接続部が遥動した状態を示す説明図。
【図３】本発明の第２実施形態の猫用尿道カテーテルを示す説明図。
【図４】第２実施形態の接続部が遥動した状態を示す説明図。
【図５】従来の猫用尿道カテーテルを示す説明図。
【符号の説明】
【００３１】
１，１０…猫用尿道カテーテル、  ２…カテーテル、  ３…接続部、  ４…固定板、  ４１…凹部、  ５…孔部、  ６０…ソケット部、  ６０ｂ…係合溝（係止手段）、  ７…軸部（支点）、  ８…突片（嵌合部）、  ８０…頸部、  ８１…ボール部（支点）。
【図１】
2007236574.tif 000003
【図２】
2007236574.tif 000004
【図３】
2007236574.tif 000005
【図４】
2007236574.tif 000006
【図５】
2007236574.tif 000007